(57)【要約】【課題】メッシュ状金属配線をフィルム上に敷設した静電容量型タッチパネルをマトリックス駆動型のディスプレイに搭載する場合の、金属メッシュとディスプレイとが有する周期的な遮光性パターンのピッチ間の好ましい関係を特定することを課題とした。【解決手段】直交する２方向にピッチｐで周期的に敷設された着色画素を備えるディスプレイ装置に重ねて使用するフィルム状の静電容量型タッチパネルであって、該タッチパネルは、一つの方向のピッチをＰとするストライプ状金属配線とそれと直交する方向にピッチをＰとするストライプ状金属配線とを備え、Ｐがｐの（３．５±０．１）倍であることを特徴とするフィルム状の静電容量型タッチパネルである。【選択図】図２
2013225195.tif 000002
【特許請求の範囲】
【請求項１】
直交する２方向にピッチｐで周期的に敷設された着色画素を備えるディスプレイ装置に重ねて使用するフィルム状の静電容量型タッチパネルであって、該タッチパネルは、一つの方向のピッチをＰとするストライプ状金属配線とそれと直交する方向にピッチをＰとするストライプ状金属配線とを備え、Ｐがｐの（３．５±０．１）倍であることを特徴とするフィルム状の静電容量型タッチパネル。
【請求項２】
直交する２方向にピッチｐで周期的に敷設された着色画素を備えるディスプレイ装置に重ねて使用するフィルム状の静電容量型タッチパネルであって、該タッチパネルは、一つの方向のピッチをＰとするストライプ状金属配線とそれと直交する方向にピッチをＰとするストライプ状金属配線とを備え、Ｐがｐの（３．５／√２±０．１）倍であることを特徴とするフィルム状の静電容量型タッチパネル。
【請求項３】
前記金属配線の線幅が５０μｍ以下であることを特徴とする請求項１又は請求項２に記載のフィルム状の静電容量型タッチパネル。
【請求項４】
ディスプレイ装置の着色画素の繰り返し方向とストライプ状の金属配線が伸びる方向が同じであることを特徴とする請求項１又は請求項３に記載のフィルム状の静電容量型タッチパネルの使用方法。
【請求項５】
ディスプレイ装置の着色画素の繰り返し方向とストライプ状の金属配線が伸びる方向が４５°の角度をなすことを特徴とする請求項２又は請求項３に記載のフィルム状の静電容量型タッチパネルの使用方法。
【発明の詳細な説明】
【技術分野】
【０００１】
本発明は、座標入力手段として使用される静電容量型タッチパネルに係り、特にはタッチパネルをマトリックス駆動型のディスプレイに重ねた場合に生じるモアレパターンを解消する技術に関する。
【背景技術】
【０００２】
近年、携帯電話機や、携帯情報端末、カーナビゲーションシステムを始め、様々な電子機器の操作部にタッチパネル型入力装置（以下、単にタッチパネルと記す。）が採用されている。タッチパネルは、液晶表示装置、有機ＥＬ装置等の表示用パネルの表示面上に、指先やペン先の接触位置を検出する入力装置として貼り合わせて使用されるものである。タッチパネルには、その構造及び検出方式の違いにより、抵抗膜型や静電容量型等の様々なタイプがある。
【０００３】
静電容量型タッチパネルには表面型と投影型の２つがある。両方式とも指先と導電膜との間での静電容量の変化を捉えて位置を検出する。指がセンサ表面に近づくだけで静電結合が起きるため、接触前でのカーソル表示のようなことが可能となる。押さえつけるものは指や指と同等の静電的な導電性のものである必要があるが、静電容量の変化に応じて流れる交流電流は、接触する媒体のインピーダンスにはよらない。
【０００４】
特に、投影型の静電容量方式は指先の多点検出が可能である。一般に投影型は、電極層と制御ＩＣを搭載する支持基板を保護用の絶縁性樹脂で被覆した構成である。電極層は、詳細は省略するがガラスやプラスチックなどの支持基板上に、透明電極材料（ＩＴＯ）を用いてＸ方向電極，Ｙ方向電極の縦横１組からなる多数のモザイク状電極が形成されている。Ｘ方向電極とＹ方向電極は全て絶縁を保って敷設されている（特許文献１、２）。
【０００５】
また図１（ｂ）に示すように、単に縦方向に伸びるストライプ状の金属配線７と横方向に伸びる金属配線６を絶縁を保って基板上に敷設しても構わない（特許文献３，４）。金属配線の方がＩＴＯよりも抵抗が低い分感度が高く有利であるが、金属は遮光性且つ反射性なので、ＩＴＯと異なり、配線の密度と開口率が問題となる。ＩＴＯ配列でも金属配列でも、指が触れたり近づくとその付近の電極の静電容量の変化を縦横１組の電極列から知ることで、分解能を別にすれば接触位置をかなり精密に特定できる。
【０００６】
縦と横に走る多数の電極列６，７によって多点検出が可能となるが、端子数が多くまたＩＴＯによる配線では抵抗が高くなりすぎるため、そのままでは大画面化に向かない。そこで大型タッチパネルでは、位置検出を行うＩＣが搭載されたＦＰＣとセンサー基板とを接続するために、線幅が太い取り出し用配線を基板周囲に設けるが、これらの配線については金属配線とする必要があるなどコストが高くなる傾向がある。
【０００７】
したがって、対角が３０インチ以上の大型ディスプレイ用のタッチパネルとしては、最初から金属配線型にした方が低抵抗で、それもフィルム上に金属配線を敷設するのが抵コストで製造できて実用性が高いといえる。ところが、センサー用電極として銅細線のような遮光性の金属配線をフィルム上に形成すると、液晶ディスプレイや有機ＥＬディスプレイのようなマトリクス駆動型のディスプレイに重ねた場合、透明なＩＴＯ電極では見られないモアレパターンが生じやすいという問題がある。
【０００８】
モアレは、線幅が数十μｍの銅やアルミ配線の敷設ピッチとディスプレイ側の周期的な遮光性パターン（遮光性のブラックマトリックスと半遮光性の着色画素パターン）のピッ
チとが、画像表示領域全体で一致しない場合とか、完全に平行にならず傾いた場合に生じるものである。モアレは色むらや画像のにじみにつながり表示画像の質の低下に直結する。
【先行技術文献】
【特許文献】
【０００９】
【特許文献１】特開２０１２−０１４６２号公報
【特許文献２】特開２０１２−００４０４２号公報
【特許文献３】特開２０１１−２５３２６３号公報
【特許文献４】特開２０１１−２４８７２２号公報
【発明の概要】
【発明が解決しようとする課題】
【００１０】
本発明は、上記の問題に鑑みてなされたもので、メッシュ状金属配線をフィルム上に敷設した静電容量型タッチパネルをマトリックス駆動型のディスプレイに搭載する場合の、金属メッシュとディスプレイとが有する周期的な遮光性パターンのピッチ間の好ましい関係を特定することを課題とした。
【課題を解決するための手段】
【００１１】
上記課題を達成するための請求項１に係る発明は、直交する２方向にピッチｐで周期的に敷設された着色画素を備えるディスプレイ装置に重ねて使用するフィルム状の静電容量型タッチパネルであって、該タッチパネルは、一つの方向のピッチをＰとするストライプ状金属配線とそれと直交する方向にピッチをＰとするストライプ状金属配線とを備え、Ｐがｐの（３．５±０．１）倍であることを特徴とするフィルム状の静電容量型タッチパネルとしたものである。
【００１２】
請求項２に係る発明は、直交する２方向にピッチｐで周期的に敷設された着色画素を備えるディスプレイ装置に重ねて使用するフィルム状の静電容量型タッチパネルであって、該タッチパネルは、一つの方向のピッチをＰとするストライプ状金属配線とそれと直交する方向にピッチをＰとするストライプ状金属配線とを備え、Ｐがｐの（３．５／√２±０．１）倍であることを特徴とするフィルム状の静電容量型タッチパネルとしたものである。
【００１３】
請求項３に係る発明は、前記金属配線の線幅が５０μｍ以下であることを特徴とする請求項１又は請求項２に記載のフィルム状の静電容量型タッチパネルとしたものである。
【００１４】
請求項４に係る発明は、ディスプレイ装置の着色画素の繰り返し方向とストライプ状の金属配線が伸びる方向が同じであることを特徴とする請求項１又は請求項３に記載のフィルム状の静電容量型タッチパネルの使用方法としたものである。
【００１５】
請求項５に係る発明は、ディスプレイ装置の着色画素の繰り返し方向とストライプ状の金属配線が伸びる方向が４５°の角度をなすことを特徴とする請求項２又は請求項３に記載のフィルム状の静電容量型タッチパネルの使用方法としたものである。
【発明の効果】
【００１６】
請求項１と請求項２に記載の発明は、液晶ディスプレイや有機ＥＬディスプレイのような周期的な着色（発色）画素を備えたディスプレイ装置に本発明になるタッチパネルを位置合わせの上搭載するとモアレパターンが視認されないという効果がある。
モアレが視認されない範囲を予め確定できれば、仕様の変更のたびに、最適なピッチを求めてタッチパネルの設計試作を繰り返す必要がなくなる。
請求項1と請求項２の違いは下記に述べるように、ディスプレイ装置とタッチパネルの有する周期的な遮光パターンを組み合わせる方向の違いである。
【００１７】
請求項３に記載の発明によれば、透過率が高くモアレが視認されにくいという効果を奏する。
【００１８】
請求項４に記載の発明は、記載のピッチ間の関係を満たす場合には、タッチパネルの金属配線の方向と着色画素の繰り返し方向が平行になるようにディスプレイ装置とタッチパネルを重ねるとモアレの発生が少ないという効果を奏する。
【００１９】
請求項５に記載の発明は、記載のピッチ間の関係を満たす場合には、タッチパネルの金属配線の方向と着色画素の繰り返し方向が４５°になるようにディスプレイ装置とタッチパネルを重ねるとモアレの発生が少ないという効果を奏する。
【図面の簡単な説明】
【００２０】
【図１】（ａ）カラーフィルタの着色画素とブラックマトリックスの配置の一例を説明する図で配置のピッチｐの定義を示す図である。（ｂ）タッチパネルの金属配線の一例を説明する図で配置のピッチＰの定義を示す図である。
【図２】タッチパネルと表示装置の重ね方を説明する図である。（ａ）金属メッシュと着色画素の繰り返し方向が平行である場合、（ｂ）金属メッシュと着色画素の繰り返し方向が４５°をなす場合である。
【図３】（ａ）〜（ｄ）金属配線のメッシュ構造のあり方を説明する断面視の図である。（ａ）フィルム片面に金属メッシュ、（ｂ）フィルムの表裏に金属ストライプ、（ｃ）貼り合わせ、（ｄ）フィルム表裏に金属メッシュ。
【発明を実施するための形態】
【００２１】
以下、本発明になるタッチパネルの実施態様について図面を用いて説明する。
【００２２】
モアレは、周期的な模様を複数重ね合わせた時に、それらの周期のずれにより発生するいずれの周期とも周期が異なる縞模様のことである。例えば、二組のストライプパターンを斜めに重ねると交差部分がストライプのピッチとは異なるピッチを有する縞模様が見える。あるいは、升目のピッチが異なる二つの市松模様を重ねた場合にも生じる。
液晶表示装置や有機ＥＬ装置等のマトリックス駆動型のディスプレイ装置にタッチパネルを搭載したシステムは、端的には二つのストライプパターン様を重ねた場合に該当する。
【００２３】
先ず、ディスプレイ装置側の周期的な模様について液晶ディスプレイを例に説明する。液晶ディスプレイに使用されるカラーフィルタ１の部分概念図を上面視で図１（ａ）に示した。赤（Ｒ）、緑（Ｇ）、青（Ｂ）３色の着色画素２を一つのブロックとしてこのブロックが２次元的に敷き詰められたものである。各着色画素２の隙間は遮光用のブラックマトリックス３で埋設されている。
【００２４】
個々の着色画素２の縦横の比は概ね３：１で３色で略正方形をなすようになっている。したがって、各着色画素の敷設ピッチ（赤画素と赤画素のピッチであり、隣接する赤画素と緑画素の距離ではない）は、ブラックマトリックス３の幅も含めて横方向もそれと直交する縦方向も全て同じであり、ブロックを区画するブラックマトリックス３のピッチも同じである。ブラックマトリックス３の幅は、適宜設定できるがピッチ自体はかわらない。着色画素は横方向はＲ，Ｇ，Ｂの繰り返しであるが、縦方向では同じ色の画素が並ぶストライプ構成である。
【００２５】
本明細書では繰り返しのピッチをｐで表す。ｐは、ディスプレイのサイズと画素数にもよるが概ね１００〜１０００μｍの範囲である。ブラックマトリックス３は完全遮光性であるが、着色画素２は光透過性である。また、図１（ａ）ではブラックマトリックス、着色画素とも直線で仕切られているが、場合によっては周期的な凹凸がある場合もある。
【００２６】
有機ＥＬディスプレイも自発光する画素の配置は液晶ディスプレイと同じである。発光画素を区画する部分はブラックマトリックスとは呼ばないが、発光材料が混合しないようにストライプ状隔壁が形成されており、これも遮光性を有するのでモアレを生じる可能性がある。
【００２７】
タッチパネル５の金属配線の上面視図を図１（ｂ）に示した。ストライプ状に並べた金属配線６，７（図では２重線と実線）を二組準備し、交差部でショートしないように絶縁をとって直交するように配置したものである。金属配線６，７は遮光性があるので、線幅が太くなれば開口率が低くなって透過率が下がり、ストライプピッチＰが長いと位置センサとしての分解能が低くなるので、適切な値に設定される。
【００２８】
タッチパネル５とは、金属配線のような導電体の両端に同じ位相で同じ電圧の交流を加えた場合に、導電体に指や手のような静電的且つ導電性の媒体を近接させると、接地されているとみなされる媒体と導電体間（これも接地されているので）に容量結合が生じて過剰な交流電流が導電体に流れる現象を利用した電子デバイスである。
【００２９】
したがって、導電体に指が直接触れる必要がなく誘電体を介して接触、近接しても構わない。手がセンサー部の導電体に触れると導電体が汚れるので、通常導電体は防汚性のある透明樹脂類で被覆されて使われるのが通常である。導電体（以下、電極と記す。）は必ずしも同一平面上に存在する必要はなく、絶縁性樹脂など間に挟んで配置されていても構わない。ただし、接触媒体（例えば、指）までの実質的な距離が変わってくるので感度が絶縁性樹脂の上にあるか下にあるかで変わる可能性はある。
【００３０】
原理的には、電極材料を適当に置くだけで、どの電極材料のどの辺に近接したかが検出可能であるが、位置センサーとしての精度を保つために直線状電極をＸＹのマトリックス状に配置して、どの電極上のどこ辺りにではなく、どのＸ方向電極とどのＹ方向電極であるかを独立に検出して交点から位置を算出している。当然、Ｘ方向の電極とＹ方向の電極は、全ての電極が絶縁されている必要がある。また、電極は必ずしも直線状である必要はない。遮光性の金属配線であれば、透過率が許す範囲で見にくい細線をできるだけびっしりと配置することになる。
【００３１】
したがって、図１（ａ）で示す周期的な遮光性もしくは半遮光性のパターンを備える液晶ディスプレイと図１（ｂ）で示すタッチパネルとを重ねてタッチパネル付きのディスプレイとすると、例えばブラックマトリックス３と金属配線７が完全に重ならない限りモアレパターンが発生する可能性がある。大型ディスプレイには、フィルムタイプのタッチパネルを重ねることが多く、フィルムであるが故にピッチＰをフィルム全面で完全に同じように加工はできず、重ねあわせにも一定の誤差が避けられず、様々な周期のモアレパターンが生じる。
【００３２】
次にフィルム状タッチパネル５の金属電極の敷設形態について図３を用いて説明する。第１の実施態様は、肉厚が５０〜１００μｍのフィルム基材１０の透視が必要な領域の片面に、開口率が９０〜９８％の範囲に収まるようにメッシュ状に銅配線を備えたタッチパネル５である（図３（ａ））。すなわち、同じピッチＰのストライプ状の銅配線１１，１２を、直交するようにフィルム１０の片面に配設したものである。交差部８の上下は絶縁されている必要があり、一方の銅配線１２の上に絶縁性樹脂１３が置かれ、その上を他方の銅配線１１が横断している態様である。
【００３３】
タッチパネルの透視可能な部分の大きさは、液晶ディスプレイや有機ＥＬ等の画像表示部に重ねて使用されるので、少なくともこれらの画像表示部と同じ大きさである。但し、その範囲全てがタッチパネルの入力範囲でない場合には、透視範囲であってもメッシュ電極はなくても構わない。一般に、透視が必要な範囲以外は、見えないように枠状に黒塗りされている（加飾）。
【００３４】
メッシュ電極を構成する個々の銅配線６，７、１１，１２は、全てフィルム外周に導かれて外部接続用の端子につながっている（図示せず。実施態様２，３も同じ）。この配線を引き出し用配線といい安価で抵抗の低い銅が好ましく、透視されない部分では、許される範囲で線幅を太くすることができる。そこでは、概ね０．０２〜０．５ｍｍの範囲が好ましい。メッシュ状銅配線６，７のいずれか一方と引き出し用銅配配線はフィルム１０に積層された銅薄膜から一括形成される。全ての銅配線は、センサーとして使用される限り互いに絶縁されている必要がある。
【００３５】
銅配線によって仕切られたメッシュ開口部９の幅をａ、遮光部の配線幅をｄとすると開口率９０％でｄ／ａ=０．０５程度、開口率９８％でｄ／ａ＝０．０１程度である。遮光性金属の線幅ｄは、概ね２０μｍ以下であれば視認できないといわれているので、線幅ｄ＝２０μｍでは、開口の一辺ａは４００〜２０００μｍの範囲となる。より狭い線幅ｄ=１０μｍでは２００〜１０００μｍ、ｄ＝５μｍでは１００〜５００μｍの範囲とする必要がある。大型ディスプレイ用では線幅は５０μｍ程度以下が好ましく開口率９０％でａは１０００μｍ程度以上となる。
【００３６】
メッシュ交差部８の上下銅配線の絶縁については、好ましくは１〜２μｍの厚みの絶縁樹脂層１３を挟んで行う。絶縁樹脂層１３は側面が垂直に近いと、覆いかぶさる銅配線１１の形成方法によっては断線する恐れがあるので、絶縁樹脂層１３の肩は滑らかに変化するのが望ましい（図とは異なる）。下層の銅配線１２を、定法のフォトリソ法で形成した後、銅配線の上に残っているレジストを剥離してから、改めてフォトリソ法により交差部８に微細なレジストパターンを形成することができる。
【００３７】
第２の実施形態は図３（ｂ）に示す態様である。第一の態様は、フィルム片面にメッシュ構造を形成したが、本実施態様は、フィルム１０の両面、すなわち表面と裏面に、同じピッチのストライプ状銅配線１１，１２を設け表裏で直交するように配置したものである。図１（ｂ）では、実線が表面の、二重線が裏面に該当する。フィルム基材１０が銅配線１１と銅配線１２の間にあるので、実施態様１のように交差部８に別途絶縁層１３を設ける必要がない。上面視では実施態様１と全く同じである。一方の面だけにストライプ状電極を備えたフィルムを２枚準備して背中合わせに張り合わせても構わない（図３（ｃ））。
あるいは、図３（ｄ）に示すように一方の銅配線がフィルムに挟まれるようにすることもできる。図中の破線は、ＯＣＡ（光学用接着剤）を使って張り合わせる位置を示している。
【００３８】
第３の実施態様は、図３（ｅ）に示すように、実施態様１のメッシュ構造５をフィルム１０の表裏に備えたもので、上面視で表裏のメッシュ構造を半ピッチだけずれるように配置したものである。これは、見かけは実施態様１のピッチを半分にしたものと同じであるが、配線加工はピッチが広い分容易になるという利点がある。
【００３９】
実施態様１から実施態様３については、銅配線の表面抵抗は３Ω／□程度以下に設定するのが好ましい。抵抗が低い方がセンサー感度が高いからである。実施態様２と実施態様
３については、上下の配線間に厚みが１００μｍ程度のフィルム１０が介在するので静電容量を０．５〜３ｐＦの範囲に設定するのが好ましい。
【００４０】
ちなみに、電解銅箔をエッチングにより厚さ１３μｍ、線幅１０μｍ、ピッチ１０００μｍ、開口率９８％のメッシュ構成とした場合で、表面抵抗は０．３Ω／□（四端子法による）であった。蒸着銅箔を厚さ１．５μｍ、線幅５μｍ、メッシュピッチ２５０μｍ（前述のａにほぼ該当）、開口率９３％で、表面抵抗は３Ω／□であった。製法上の材質差があるが、表面抵抗は３Ω／□以下の範囲で所望の値に制御できる。
【００４１】
タッチパネルをディスプレイ装置に搭載する形態としては、図２（ａ）に示すように、着色画素（発光画素）が繰り返す方向とストライプ状の金属配線が伸びる方向が同じである場合と、図２（ｂ）に示すように４５°だけ傾ける場合が可能であり、いずれでも構わない。但し、傾ける場合には、画素ピッチｐが同じとすれば金属配線のストライプピッチＰが短く（１／√２になる）なるので加工が難しくなるという問題がある。
【００４２】
次に液晶ディスプレイの着色画素のピッチｐとタッチパネルの金属配線のピッチＰの関係について実施例を使って説明する。
【００４３】
厚みが１００μｍ、幅が３００ｍｍのＰＥＴフィルムを用いてロールツーロール方式でフィルム状のタッチパネルを製造した。フィルム材料については、コスト面からＰＥＴが好ましいが、耐熱性が必要な場合は、ＰＥＮやポリイミド系フィルムが使用できる。この他、ポリエチレン樹脂、ポリプロピレン系樹脂、メタクリル系樹脂、環状ポリオレフィン系樹脂、ポリスチレン系樹脂、アクリロニトリル−（ポリ）スチレン共重合体（ＡＳ樹脂）、アクリロニトリル−ブタジエン−スチレン共重合体（ＡＢＳ樹脂）、ポリ塩化ビニル系樹脂、ポリ（メタ）アクリル系樹脂、ポリカーボネート系樹脂、ポリエステル系樹脂、ポリアミド系樹脂、ポリアミドイミド系樹脂等から製造される厚みが２０〜５０μｍの範囲のフィルムも使用できる。
【００４４】
銅薄膜は、厚みが６μｍの表面が平滑な電解銅箔を接着剤を介して上記ロール状のフィルム基材に積層したものを用いた。銅箔をエッチングして形成する銅線の線幅は銅箔の厚みよりは細くできないので、所望の線幅から銅箔のタイプを決める必要がある。線幅が５μｍ程度以下と細くなる場合には、フィルム上に蒸着した銅薄膜を用いるのが好ましい。電解銅箔以外では圧延銅箔も使用可能である。
【００４５】
先ず、銅箔を表裏にラミネートしたロール状ＰＥＴフィルムを用意し、銅箔のパターニングを定法のフォトリソ法を使用して実施した。
【００４６】
レジストを銅箔の一方の面に２μｍ程度の厚みで塗布し、メッシュ部を構成するストライプパターンと引き出し用電極パターン他を備えたフォトマスクを介してＵＶ光を照射した。他方のフィルム面にも同じ厚みでレジストを塗布してからフォトマスクを介して露光を行った。次に、５％の炭酸ナトリウム水溶液を用いて現像し、所望のレジストパターンを形成した。約６０度の塩化第二鉄溶液で開口部分に露呈した銅箔をエッチング除去して、ＰＥＴフィルムの表裏に上面視図１（ｂ）、断面視図３（ｂ）で示す銅配線パターンを形成した（実施態様二）。
【００４７】
図１（ａ）で示すＲ，Ｇ，Ｂの着色画素２とブラックマトリックス３を備えたカラーフィルタ基板１を、着色レジストを使用した定法のフォトリソ法を適用して製造した。カラーフィルタ基板のサイズは、対角で４．２インチ、４．８インチ、４２インチ相当とした。横方向の画素ピッチｐは、それぞれ、８４．２μｍ、３６０μｍ、４８３μｍであった。縦方向の画素ピッチも同じである。ブラックストライプの形状の詳細は省略するが、４２インチサイズでは、太い部分で３０μｍ、狭い部分で１５μｍであり、４．２と４．８インチはこれより細く設定した。
【００４８】
上記のカラーフィルタ１に重ねるタッチパネル５の銅配線パターンは、上面視開口部が正方形となるメッシュ構造で、線幅は全て１０μｍである。ピッチＰは、カラーフィルタ基板側の画素サイズで変化を持たせた。詳細は、サイズごとに表１に示した。カラーフィルタとタッチパネルの重ねあわせ方には２通りあるので平行な場合を０°、傾けた場合を４５°として記載してある。
【００４９】
モアレが視認されるかどうかは小さい基板では３０ｃｍ程度、４２インチでは１ｍ程度上方から観察して判定した。結果は、○：モアレなし、×：モアレありとして表１に示した。画素ピッチの概ね３．５±０．１倍の範囲でモアレは視認されなかった。
【００５０】
【表１】
2013225195.tif 000003
【００５１】
次に、大型液晶ディスプレイに搭載した場合の結果を述べる。この場合の重ね合わせは平行の場合（０°）のみで、画素ピッチは、６２９μｍ（対角５５インチ）、４８４μｍ（対角４２インチ）、４２６μｍ（対角３７インチ）であった。
【００５２】
メッシュのストライプピッチを１００〜２０００μｍの範囲で１０μｍピッチで変えたタッチパネルを作成して、上記のディスプレイに重ねモアレの発生を調べた。モアレは、ストライプピッチが画素ピッチの整数分の１と整数倍で強まるように強弱を繰り返す傾向であった。しかしながら画素ピッチの３．５倍近辺ではほとんど視認できなかった。モアレも周期的に繰り返すので厳密に３．５倍である必要はなく、概ね３．４〜３．６倍の範囲内であればよかった。また大型ディスプレイでは、３．５±０．１倍程度であれば位置センサーとしての分解能としては十分といえる。
【００５３】
一般的な傾向として、モアレが視認される場合は周期パターンが平行な場合（０°）の方が傾けた場合（４５°）よりも輪郭がはっきりして目立った。傾けるとモアレの輪郭が緩くなり、特にメッシュのピッチが大きくなるにつれて、モアレの輪郭がぼやけ正常感が増しモアレに対するマージンが広くなった。４５°に傾ける場合は、画素ピッチｐの略３．５倍がメッシュの対角線に相当するのでメッシュのストライプピッチＰは平行な場合の１／√２となって狭くなる。図２には参考ため、左下に画素ピッチとタッチパネルのストライプピッチが同じ場合の画素（Ｒ，Ｇ，Ｂ）を挿入してある。
【符号の説明】
【００５４】
１、カラーフィルタ
２、着色画素（Ｒ，Ｇ，Ｂ）
３、ブラックマトリックス
４、交差部
５、タッチパネル（センサー部）
６、Ｙ方向電極
７、Ｘ方向電極
８、電極の交差部
９、メッシュ開口部
１０、フィルム基材
１１、フィルム表面の金属配線
１２、フィルム裏面の金属配線
１３、絶縁樹脂
ｐ；画素ピッチ
Ｐ；メッシュのピッチ
【図１】
2013225195.tif 000004
【図２】
2013225195.tif 000005
【図３】
2013225195.tif 000006